(57)【要約】【課題】  携帯型コンピュータ機器のカメラによって撮影された対象者のゴルフボールの打撃動画に基づいて、適切なゴルフボールを選択する方法およびそのためのコンピュータプログラム製品を提供する。【解決手段】  カメラ付き携帯型コンピュータ機器を用いて、対象者の打撃能力に関する情報を入力し、動画を撮影する前に、機器のスクリーンにおいて２点間の距離及び／又は方向をキャリブレーションし、ゴルフボールの打撃動画を撮影し、撮影した動画からキャリブレーションに基づいてヘッドスピードを計算し、大勢のゴルファの打撃能力に関する情報のデータと、ヘッドスピードのデータと、ゴルフボール製品の性能のデータとがそれぞれ関連付けられたデータベースに基づいて、入力された打撃能力に関する情報と、計算されたヘッドスピードとから、対象者に適した性能を有するゴルフボール製品を演算処理する。【選択図】  図８
2017225820.tif 000002
【特許請求の範囲】
【請求項１】
カメラ付き携帯型コンピュータ機器によって、対象者のために適切なゴルフボールの選択を行う方法であって、
前記対象者のゴルフボールを打撃する能力に関する情報が、前記カメラ付き携帯型コンピュータ機器に入力されるステップと、
動画が撮影される前に、前記カメラ付き携帯型コンピュータ機器のスクリーンにおいて２点間の距離および／または方向をキャリブレーションするステップと、
前記カメラ付き携帯型コンピュータ機器のカメラで、前記対象者がゴルフクラブでゴルフボールを打撃する動画を撮影するステップと、
前記撮影した動画から、前記キャリブレーションに基づいて、前記ゴルフボールに当たる前の前記ゴルフクラブのヘッドスピードを計算するステップと、
ゴルフプレーヤのゴルフボールを打撃する能力に関する情報のデータと、ゴルフボールに当たる前のゴルフクラブのヘッドスピードのデータと、ゴルフボール製品の性能のデータとがそれぞれ関連付けられたデータベースに基づいて、前記入力されたゴルフボールを打撃する能力に関する情報と、前記計算されたヘッドスピードとから、前記対象者に適した性能を有するゴルフボール製品を演算処理するステップと、
前記カメラ付き携帯型コンピュータ機器に、前記演算処理されたゴルフボール製品を薦める表示をするステップと
を含む方法。
【請求項２】
前記データベースが、打撃したゴルフボールのボール初速のデータも関連付けられており、このデータベースに基づいて、前記入力されたゴルフボールを打撃する能力に関する情報と、前記計算されたヘッドスピードとから、前記対象者が打撃したゴルフボールのボール初速を演算処理するステップと、この演算処理されたボール初速を前記カメラ付き携帯型コンピュータ機器に表示するステップとを更に含む請求項１に記載の方法。
【請求項３】
前記データベースが、打撃したゴルフボールの打ち上げ角のデータも関連付けられており、このデータベースに基づいて、前記入力されたゴルフボールを打撃する能力に関する情報と、前記計算されたヘッドスピードとから、前記対象者が打撃したゴルフボールの打ち上げ角を演算処理するステップと、この演算処理された打ち上げ角を前記カメラ付き携帯型コンピュータ機器に表示するステップとを更に含む請求項１又は２に記載の方法。
【請求項４】
前記データベースが、打撃したゴルフボールのキャリー飛距離のデータも関連付けられており、このデータベースに基づいて、前記入力されたゴルフボールを打撃する能力に関する情報と、前記計算されたヘッドスピードとから、前記対象者が打撃したゴルフボールのキャリー飛距離を演算処理するステップと、この演算処理されたキャリー飛距離を前記カメラ付き携帯型コンピュータ機器に表示するステップとを更に含む請求項１〜３のいずれか一項に記載の方法。
【請求項５】
前記データベースが、打撃したゴルフボールのトータル飛距離のデータも関連付けられており、このデータベースに基づいて、前記入力されたゴルフボールを打撃する能力に関する情報と、前記計算されたヘッドスピードとから、前記対象者が打撃したゴルフボールのトータル飛距離を演算処理するステップと、この演算処理されたトータル飛距離を前記カメラ付き携帯型コンピュータ機器に表示するステップとを更に含む請求項１〜４のいずれか一項に記載の方法。
【請求項６】
対象者のために適切なゴルフボールの選択を行う非一時的なコンピュータプログラム製品であって、このコンピュータプログラム製品はカメラ付き携帯型コンピュータ機器に格納され、このカメラ付き携帯型コンピュータ機器で実行されるコンピュータプログラム手順を有するように構成されており、前記手順が、
前記カメラ付き携帯型コンピュータ機器のカメラで撮影した、前記対象者がゴルフクラブでゴルフボールを打撃する動画から、前記動画を撮影する際の前記カメラ付き携帯型コンピュータ機器のスクリーンにおける２点間の距離および／または方向のキャリブレーションに基づいて、前記ゴルフボールに当たる前の前記ゴルフクラブのヘッドスピードを計算する手順と、
ゴルフプレーヤのゴルフボールを打撃する能力に関する情報のデータと、ゴルフボールに当たる前のゴルフクラブのヘッドスピードのデータと、ゴルフボール製品の性能のデータとがそれぞれ関連付けられたデータベースに基づいて、前記カメラ付き携帯型コンピュータ機器に入力された前記対象者のゴルフボールを打撃する能力に関する情報と、前記計算されたヘッドスピードとから、前記対象者に適した性能を有するゴルフボール製品を演算処理する手順と、
前記カメラ付き携帯型コンピュータ機器に、前記演算処理されたゴルフボール製品を薦める表示をする手順と
を含むコンピュータプログラム製品。
【請求項７】
前記撮影した動画から、前記キャリブレーションに基づいて、前記対象者が打撃したゴルフボールのボール初速および打ち上げ角を計算するステップと、
前記対象者が打撃したゴルフボールの観察結果に関する情報を、前記カメラ付き携帯型コンピュータ機器に入力するステップと
を更に含み、
前記対象者に適した性能を有するゴルフボール製品を演算処理するステップは、前記データベースが、打撃したゴルフボールのボール初速のデータと、打撃したゴルフボールの打ち上げ角のデータと、打撃したゴルフボールの観察結果に関する情報のデータとも関連付けられており、このデータベースに基づいて、前記入力されたゴルフボールを打撃する能力に関する情報と、前記計算されたヘッドスピードと、前記計算されたボール初速と、前記計算された打ち上げ角と、前記入力された打撃したゴルフボールの観察結果に関する情報とから、前記対象者に適した性能を有するゴルフボール製品を演算処理することによって行う請求項１〜５のいずれか一項に記載の方法。
【請求項８】
前記撮影した動画から、前記キャリブレーションに基づいて、前記対象者が打撃したゴルフボールのボール初速および打ち上げ角を計算する手順を更に含み、
前記対象者に適した性能を有するゴルフボール製品を演算処理する手順は、前記データベースが、打撃したゴルフボールのボール初速のデータと、打撃したゴルフボールの打ち上げ角のデータと、打撃したゴルフボールの観察結果に関する情報のデータとも関連付けられており、このデータベースに基づいて、前記カメラ付き携帯型コンピュータ機器に入力されたゴルフボールを打撃する能力に関する情報と、前記計算されたヘッドスピードと、前記計算されたボール初速と、前記計算された打ち上げ角と、前記カメラ付き携帯型コンピュータ機器に入力された打撃したゴルフボールの観察結果に関する情報とから、前記対象者に適した性能を有するゴルフボール製品を演算処理することによって行う請求項６に記載のコンピュータプログラム製品。
【請求項９】
カメラ付き携帯型コンピュータ機器によって、対象者のために適切なゴルフボールの選択を行う方法であって、
前記対象者のゴルフボールを打撃する能力に関する情報が、前記カメラ付き携帯型コンピュータ機器に入力されるステップと、
前記カメラ付き携帯型コンピュータ機器のカメラで、前記対象者がゴルフボールを打撃する動画を撮影するステップと、
前記撮影した動画において２点間の距離および／または方向をキャリブレーションするステップと、
前記撮影した動画から、前記キャリブレーションに基づいて、前記対象者が打撃したゴルフボールのボール初速および打ち上げ角を計算するステップと、
前記対象者が打撃したゴルフボールの観察結果に関する情報を、前記カメラ付き携帯型コンピュータ機器に入力するステップと
ゴルフプレーヤのゴルフボールを打撃する能力に関する情報のデータと、打撃したゴルフボールのボール初速のデータと、打撃したゴルフボールの打ち上げ角のデータと、打撃したゴルフボールの観察結果に関する情報のデータと、ゴルフボール製品の性能のデータとがそれぞれ関連付けられたデータベースに基づいて、前記入力されたゴルフボールを打撃する能力に関する情報と、前記計算されたボール初速と、前記計算された打ち上げ角と、前記入力された打撃したゴルフボールの観察結果に関する情報とから、前記対象者に適した性能を有するゴルフボール製品を演算処理するステップと、
前記カメラ付き携帯型コンピュータ機器に、前記演算処理されたゴルフボール製品を薦める表示をするステップと
を含む方法。
【請求項１０】
前記データベースが、ゴルフボールに当たる前のゴルフクラブのヘッドスピードのデータも関連付けられており、このデータベースに基づいて、前記入力されたゴルフボールを打撃する能力に関する情報と、前記計算されたボール初速と、前記計算された打ち上げ角とから、前記対象者のゴルフクラブが前記ゴルフボールに当たる前の前記ゴルフクラブのヘッドスピードを演算処理するステップと、この演算処理されたヘッドスピードを前記カメラ付き携帯型コンピュータ機器に表示するステップとを更に含む請求項９に記載の方法。
【請求項１１】
前記データベースが、打撃したゴルフボールのバックスピン量のデータも関連付けられており、このデータベースに基づいて、前記入力された前記観察結果に関する情報と、前記計算されたボール初速と、前記計算された打ち上げ角とから、前記対象者が打撃したゴルフボールのバックスピン量を演算処理するステップと、この演算処理されたバックスピン量を前記カメラ付き携帯型コンピュータ機器に表示するステップとを更に含む請求項９又は１０に記載の方法。
【請求項１２】
前記データベースが、打撃したゴルフボールのキャリー飛距離のデータも関連付けられており、このデータベースに基づいて、前記入力されたゴルフボールを打撃する能力に関する情報と、前記計算されたボール初速と、前記計算された打ち上げ角とから、前記対象者が打撃したゴルフボールのキャリー飛距離を演算処理するステップと、この演算処理されたキャリー飛距離を前記カメラ付き携帯型コンピュータ機器に表示するステップとを更に含む請求項９〜１１のいずれか一項に記載の方法。
【請求項１３】
前記データベースが、打撃したゴルフボールのトータル飛距離のデータも関連付けられており、このデータベースに基づいて、前記入力されたゴルフボールを打撃する能力に関する情報と、前記計算されたボール初速と、前記計算された打ち上げ角とから、前記対象者が打撃したゴルフボールのトータル飛距離を演算処理するステップと、この演算処理されたトータル飛距離を前記カメラ付き携帯型コンピュータ機器に表示するステップとを更に含む請求項９〜１２のいずれか一項に記載の方法。
【請求項１４】
前記撮影した動画から、前記キャリブレーションに基づいて、前記対象者が打撃したゴルフボールのバックスピン量を計算するステップと、この計算されたバックスピン量を、前記カメラ付き携帯型コンピュータ機器に表示するステップとを更に含む請求項９〜１３のいずれか一項に記載の方法。
【請求項１５】
前記撮影した動画から、前記キャリブレーションに基づいて、前記対象者のゴルフクラブが前記ゴルフボールに当たる前の前記ゴルフクラブのヘッドスピードを計算するステップと、この計算されたヘッドスピードを、前記カメラ付き携帯型コンピュータ機器に表示するステップとを更に含む請求項９〜１４のいずれか一項に記載の方法。
【請求項１６】
対象者のために適切なゴルフボールの選択を行う非一時的なコンピュータプログラム製品であって、このコンピュータプログラム製品はカメラ付き携帯型コンピュータ機器に格納され、このカメラ付き携帯型コンピュータ機器で実行されるコンピュータプログラム手順を有するように構成されており、前記手順が、
前記カメラ付き携帯型コンピュータ機器のカメラで撮影した、前記対象者がゴルフクラブでゴルフボールを打撃する動画から、前記動画における２点間の距離および／または方向のキャリブレーションに基づいて、前記対象者が打撃したゴルフボールのボール初速および打ち上げ角を計算する手順と、
ゴルフプレーヤのゴルフボールを打撃する能力に関する情報のデータと、打撃したゴルフボールのボール初速のデータと、打撃したゴルフボールの打ち上げ角のデータと、打撃したゴルフボールの観察結果に関する情報のデータと、ゴルフボール製品の性能のデータとがそれぞれ関連付けられたデータベースに基づいて、前記カメラ付き携帯型コンピュータ機器に入力された前記対象者のゴルフボールを打撃する能力に関する情報と、前記計算されたボール初速と、前記計算された打ち上げ角と、前記カメラ付き携帯型コンピュータ機器に入力された打撃したゴルフボールの観察結果に関する情報とから、前記対象者に適した性能を有するゴルフボール製品を演算処理する手順と、
前記カメラ付き携帯型コンピュータ機器に、前記演算処理されたゴルフボール製品を薦める表示をする手順と
を含むコンピュータプログラム製品。
【発明の詳細な説明】
【技術分野】
【０００１】
本発明は、カメラ付き携帯型コンピュータ機器を用いた適切なゴルフボールの選択に関し、詳しくは、カメラ付き携帯型コンピュータ機器によって適切なゴルフボールを選択する方法およびそのためのコンピュータプログラムに関する。
【背景技術】
【０００２】
米国特許出願第２０１４／０３００７３３号明細書には、カメラ付き携帯機器で、動いているスポーツボールのスピードを決定する方法が記載されている。この方法は、スポーツコートで動いているスポーツボールをカメラで撮影するとともに、この撮影した動画から、実際の間隔がわかっているスポーツコートの複数のリフェレンスポイントに対する前記動画の複数のフレーム中のスポーツボールの位置を含むデータを抽出し、動いているスポーツボールのスピードをコンピューティングするものである。
【０００３】
米国特許出願第２０１４／０３００７４５号明細書には、携帯コンピュータ機器で、ボールの弾道の特性を決定する方法が記載されている。この方法は、携帯コンピュータ機器のカメラで、ボールの一連の動画フレームを撮影するとともに、この一連の動画フレームのうちの第１の動画フレームにおける第１の画像座標と、第２の動画フレームにおける第２の画像座標と、この第１及び第２の画像座標間の時間差と、画像におけるボールの形状および／または寸法などのリフェレンス量とに基づいてボールの弾道の特性を決定するものである。
【先行技術文献】
【特許文献】
【０００４】
【特許文献１】米国特許出願第２０１４／０３００７３３号明細書
【特許文献２】米国特許出願第２０１４／０３００７４５号明細書
【発明の概要】
【発明が解決しようとする課題】
【０００５】
上記の特許文献には、カメラ付き携帯型コンピュータ機器を用いて、動いているボールのスピードや弾道の特性を計算することが開示されているに留まり、このように撮影した動画から計算されたスピードや弾道の特性などの数値よりも、携帯型コンピュータ機器のユーザーに有益な情報を提供することについては開示されていない。
【０００６】
本発明の目的は、携帯型コンピュータ機器のカメラによって撮影されたゴルファがゴルフボールを打撃する動画に基づいて、そのゴルファに対して適切なゴルフボールを選択する方法およびそのためのコンピュータプログラム製品を提供することである。
【課題を解決するための手段】
【０００７】
本発明は、その第１の態様によれば、カメラ付き携帯型コンピュータ機器によって、対象者のために適切なゴルフボールの選択を行う方法であって、
・前記対象者のゴルフボールを打撃する能力に関する情報が、前記カメラ付き携帯型コンピュータ機器に入力されるステップと、
・動画が撮影される前に、前記カメラ付き携帯型コンピュータ機器のスクリーンにおいて２点間の距離および／または方向をキャリブレーションするステップと、
・前記カメラ付き携帯型コンピュータ機器のカメラで、前記対象者がゴルフクラブでゴルフボールを打撃する動画を撮影するステップと、
・前記撮影した動画から、前記キャリブレーションに基づいて、前記ゴルフボールに当たる前の前記ゴルフクラブのヘッドスピードを計算するステップと、
・ゴルフプレーヤのゴルフボールを打撃する能力に関する情報のデータと、ゴルフボールに当たる前のゴルフクラブのヘッドスピードのデータと、ゴルフボール製品の性能のデータとがそれぞれ関連付けられたデータベースに基づいて、前記入力されたゴルフボールを打撃する能力に関する情報と、前記計算されたヘッドスピードとから、前記対象者に適した性能を有するゴルフボール製品を演算処理するステップと、
・前記カメラ付き携帯型コンピュータ機器に、前記演算処理されたゴルフボール製品を薦める表示をするステップと
を含む。
【０００８】
本態様の方法は、前記計算されたヘッドスピードを、前記カメラ付き携帯型コンピュータ機器に表示するステップを更に含んでもよい。
【０００９】
前記データベースは、打撃したゴルフボールのボール初速のデータも関連付けられていてもよく、本態様の方法は、このデータベースに基づいて、前記入力されたゴルフボールを打撃する能力に関する情報と、前記計算されたヘッドスピードとから、前記対象者が打撃したゴルフボールのボール初速を演算処理するステップと、この演算処理されたボール初速を前記カメラ付き携帯型コンピュータ機器に表示するステップとを更に含んでもよい。
【００１０】
前記データベースは、打撃したゴルフボールの打ち上げ角のデータも関連付けられていてもよく、本態様の方法は、このデータベースに基づいて、前記入力されたゴルフボールを打撃する能力に関する情報と、前記計算されたヘッドスピードとから、前記対象者が打撃したゴルフボールの打ち上げ角を演算処理するステップと、この演算処理された打ち上げ角を前記カメラ付き携帯型コンピュータ機器に表示するステップとを更に含んでもよい。
【００１１】
前記データベースは、打撃したゴルフボールのキャリー飛距離のデータも関連付けられていてもよく、本態様の方法は、このデータベースに基づいて、前記入力されたゴルフボールを打撃する能力に関する情報と、前記計算されたヘッドスピードとから、前記対象者が打撃したゴルフボールのキャリー飛距離を演算処理するステップと、この演算処理されたキャリー飛距離を前記カメラ付き携帯型コンピュータ機器に表示するステップとを更に含んでもよい。
【００１２】
前記データベースは、打撃したゴルフボールのトータル飛距離のデータも関連付けられていてもよく、本態様の方法は、このデータベースに基づいて、前記入力されたゴルフボールを打撃する能力に関する情報と、前記計算されたヘッドスピードとから、前記対象者が打撃したゴルフボールのトータル飛距離を演算処理するステップと、この演算処理されたトータル飛距離を前記カメラ付き携帯型コンピュータ機器に表示するステップとを更に含んでもよい。
【００１３】
前記ゴルフボールを打撃する能力に関する情報は、アベレージのスコア又はアベレージのドライバーの飛距離を含んでもよい。これに加えて又は換えて、前記ゴルフボールを打撃する能力に関する情報は、フック、ドロー、ベイビードロー、ストレート、ベイビーフェード、フェード、およびスライスからなる群から選択される通常のショットにおけるゴルフボールの軌跡を含んでもよい。これに加えて又は換えて、前記ゴルフボールを打撃する能力に関する情報は、低、中、および高からなる群から選択される通常のショットにおけるゴルフボールの弾道を含んでもよい。
【００１４】
前記キャリブレーションステップでの前記スクリーンにおける２点は、前記スクリーンに写ったゴルフボール用スリーブ箱の長手方向に沿った両端としてもよい。
【００１５】
本発明は、その第２の態様によれば、対象者のために適切なゴルフボールの選択を行う非一時的なコンピュータプログラム製品であって、このコンピュータプログラム製品はカメラ付き携帯型コンピュータ機器に格納され、このカメラ付き携帯型コンピュータ機器で実行されるコンピュータプログラム手順を有するように構成されており、前記手順は、
・前記カメラ付き携帯型コンピュータ機器のカメラで撮影した、前記対象者がゴルフクラブでゴルフボールを打撃する動画から、前記動画を撮影する際の前記カメラ付き携帯型コンピュータ機器のスクリーンにおける２点間の距離および／または方向のキャリブレーションに基づいて、前記ゴルフボールに当たる前の前記ゴルフクラブのヘッドスピードを計算する手順と、
・ゴルフプレーヤのゴルフボールを打撃する能力に関する情報のデータと、ゴルフボールに当たる前のゴルフクラブのヘッドスピードのデータと、ゴルフボール製品の性能のデータとがそれぞれ関連付けられたデータベースに基づいて、前記カメラ付き携帯型コンピュータ機器に入力された前記対象者のゴルフボールを打撃する能力に関する情報と、前記計算されたヘッドスピードとから、前記対象者に適した性能を有するゴルフボール製品を演算処理する手順と、
・前記カメラ付き携帯型コンピュータ機器に、前記演算処理されたゴルフボール製品を薦める表示をする手順と
を含む。
【００１６】
本態様のコンピュータプログラム製品は、前記計算されたヘッドスピードを、前記カメラ付き携帯型コンピュータ機器に表示する手順を更に含んでもよい。
【００１７】
前記データベースは、打撃したゴルフボールのボール初速のデータも関連付けられていてもよく、本態様のコンピュータプログラム製品は、このデータベースに基づいて、前記入力されたゴルフボールを打撃する能力に関する情報と、前記計算されたヘッドスピードとから、前記対象者が打撃したゴルフボールのボール初速を演算処理する手順と、この演算処理されたボール初速を前記カメラ付き携帯型コンピュータ機器に表示する手順とを更に含んでもよい。
【００１８】
前記データベースは、打撃したゴルフボールの打ち上げ角のデータも関連付けられていてもよく、本態様のコンピュータプログラム製品は、このデータベースに基づいて、前記入力されたゴルフボールを打撃する能力に関する情報と、前記計算されたヘッドスピードとから、前記対象者が打撃したゴルフボールの打ち上げ角を演算処理する手順と、この演算処理された打ち上げ角を前記カメラ付き携帯型コンピュータ機器に表示する手順とを更に含んでもよい。
【００１９】
前記データベースは、打撃したゴルフボールのキャリー飛距離のデータも関連付けられていてもよく、本態様のコンピュータプログラム製品は、このデータベースに基づいて、前記入力されたゴルフボールを打撃する能力に関する情報と、前記計算されたヘッドスピードとから、前記対象者が打撃したゴルフボールのキャリー飛距離を演算処理する手順と、この演算処理されたキャリー飛距離を前記カメラ付き携帯型コンピュータ機器に表示する手順とを更に含んでもよい。
【００２０】
前記データベースは、打撃したゴルフボールのトータル飛距離のデータも関連付けられていてもよく、本態様のコンピュータプログラム製品は、このデータベースに基づいて、前記入力されたゴルフボールを打撃する能力に関する情報と、前記計算されたヘッドスピードとから、前記対象者が打撃したゴルフボールのトータル飛距離を演算処理する手順と、この演算処理されたトータル飛距離を前記カメラ付き携帯型コンピュータ機器に表示する手順とを更に含んでもよい。
【００２１】
前記ゴルフボールを打撃する能力に関する情報は、アベレージのスコア又はアベレージのドライバーの飛距離を含んでもよい。これに加えて又は換えて、前記ゴルフボールを打撃する能力に関する情報は、フック、ドロー、ベイビードロー、ストレート、ベイビーフェード、フェード、およびスライスからなる群から選択される通常のショットにおけるゴルフボールの軌跡を含んでもよい。これに加えて又は換えて、前記ゴルフボールを打撃する能力に関する情報は、低、中、および高からなる群から選択される通常のショットにおけるゴルフボールの弾道を含んでもよい。
【００２２】
前記キャリブレーションのためのスクリーンにおける２点は、前記スクリーンに写ったゴルフボール用スリーブ箱の長手方向に沿った両端としてもよい。
【００２３】
第１の態様の方法は、
・前記撮影した動画から、前記キャリブレーションに基づいて、前記対象者が打撃したゴルフボールのボール初速および打ち上げ角を計算するステップと、
前記対象者が打撃したゴルフボールの観察結果に関する情報を、前記カメラ付き携帯型コンピュータ機器に入力するステップと
を更に含んでもよく、この場合、
前記対象者に適した性能を有するゴルフボール製品を演算処理するステップは、前記データベースが、打撃したゴルフボールのボール初速のデータと、打撃したゴルフボールの打ち上げ角のデータと、打撃したゴルフボールの観察結果に関する情報のデータとも関連付けられていており、このデータベースに基づいて、前記入力されたゴルフボールを打撃する能力に関する情報と、前記計算されたヘッドスピードと、前記計算されたボール初速と、前記計算された打ち上げ角と、前記入力された打撃したゴルフボールの観察結果に関する情報とから、前記対象者に適した性能を有するゴルフボール製品を演算処理することによって行う。
【００２４】
前記打撃したゴルフボールの観察結果に関する情報は、低、中、および高からなる群から選択されるゴルフボールの弾道を含んでもよい。これに加えて又は換えて、前記打撃したゴルフボールの観察結果に関する情報は、フック、ドロー、ベイビードロー、ストレート、ベイビーフェード、フェード、およびスライスからなる群から選択されるゴルフボールの軌跡を含んでもよい。
【００２５】
本態様の方法は、前記計算されたボール初速および打ち上げ角を、前記カメラ付き携帯型コンピュータ機器に表示するステップを更に含んでもよい。
【００２６】
第２の態様のコンピュータプログラム製品は、前記撮影した動画から、前記キャリブレーションに基づいて、前記対象者が打撃したゴルフボールのボール初速および打ち上げ角を計算する手順を更に含んでもよく、この場合、
前記対象者に適した性能を有するゴルフボール製品を演算処理する手順は、前記データベースが、打撃したゴルフボールのボール初速のデータと、打撃したゴルフボールの打ち上げ角のデータと、打撃したゴルフボールの観察結果に関する情報のデータとも関連付けられており、このデータベースに基づいて、前記カメラ付き携帯型コンピュータ機器に入力されたゴルフボールを打撃する能力に関する情報と、前記計算されたヘッドスピードと、前記計算されたボール初速と、前記計算された打ち上げ角と、前記カメラ付き携帯型コンピュータ機器に入力された打撃したゴルフボールの観察結果に関する情報とから、前記対象者に適した性能を有するゴルフボール製品を演算処理することによって行う。
【００２７】
前記打撃したゴルフボールの観察結果に関する情報は、低、中、および高からなる群から選択されるゴルフボールの弾道を含んでもよい。これに加えて又は換えて、前記打撃したゴルフボールの観察結果に関する情報は、フック、ドロー、ベイビードロー、ストレート、ベイビーフェード、フェード、およびスライスからなる群から選択されるゴルフボールの軌跡を含んでもよい。
【００２８】
本態様のコンピュータプログラム製品は、前記計算されたボール初速および打ち上げ角を、前記カメラ付き携帯型コンピュータ機器に表示する手順を更に含んでもよい。
【００２９】
本発明は、その第３の態様によれば、カメラ付き携帯型コンピュータ機器によって、対象者のために適切なゴルフボールの選択を行う方法であって、
・前記対象者のゴルフボールを打撃する能力に関する情報が、前記カメラ付き携帯型コンピュータ機器に入力されるステップと、
・前記カメラ付き携帯型コンピュータ機器のカメラで、前記対象者がゴルフボールを打撃する動画を撮影するステップと、
・前記撮影した動画において２点間の距離および／または方向をキャリブレーションするステップと、
・前記撮影した動画から、前記キャリブレーションに基づいて、前記対象者が打撃したゴルフボールのボール初速および打ち上げ角を計算するステップと、
・前記対象者が打撃したゴルフボールの観察結果に関する情報を、前記カメラ付き携帯型コンピュータ機器に入力するステップと
・ゴルフプレーヤのゴルフボールを打撃する能力に関する情報のデータと、打撃したゴルフボールのボール初速のデータと、打撃したゴルフボールの打ち上げ角のデータと、打撃したゴルフボールの観察結果に関する情報のデータと、ゴルフボール製品の性能のデータとがそれぞれ関連付けられたデータベースに基づいて、前記入力されたゴルフボールを打撃する能力に関する情報と、前記計算されたボール初速と、前記計算された打ち上げ角と、前記入力された打撃したゴルフボールの観察結果に関する情報とから、前記対象者に適した性能を有するゴルフボール製品を演算処理するステップと、
・前記カメラ付き携帯型コンピュータ機器に、前記演算処理されたゴルフボール製品を薦める表示をするステップと
を含む。
【００３０】
本態様の方法は、前記計算されたボール初速および打ち上げ角を、前記カメラ付き携帯型コンピュータ機器に表示するステップを更に含んでもよい。
【００３１】
前記データベースは、ゴルフボールに当たる前のゴルフクラブのヘッドスピードのデータも関連付けられていてもよく、本態様の方法は、このデータベースに基づいて、前記入力されたゴルフボールを打撃する能力に関する情報と、前記計算されたボール初速と、前記計算された打ち上げ角とから、前記対象者のゴルフクラブが前記ゴルフボールに当たる前の前記ゴルフクラブのヘッドスピードを演算処理するステップと、この演算処理されたヘッドスピードを前記カメラ付き携帯型コンピュータ機器に表示するステップとを更に含んでもよい。
【００３２】
前記データベースは、打撃したゴルフボールのバックスピン量のデータも関連付けられていてもよく、本態様の方法は、このデータベースに基づいて、前記入力された前記観察結果に関する情報と、前記計算されたボール初速と、前記計算された打ち上げ角とから、前記対象者が打撃したゴルフボールのバックスピン量を演算処理するステップと、この演算処理されたバックスピン量を前記カメラ付き携帯型コンピュータ機器に表示するステップとを更に含んでもよい。
【００３３】
前記データベースは、打撃したゴルフボールのキャリー飛距離のデータも関連付けられていてもよく、本態様の方法は、このデータベースに基づいて、前記入力されたゴルフボールを打撃する能力に関する情報と、前記計算されたボール初速と、前記計算された打ち上げ角とから、前記対象者が打撃したゴルフボールのキャリー飛距離を演算処理するステップと、この演算処理されたキャリー飛距離を前記カメラ付き携帯型コンピュータ機器に表示するステップとを更に含んでもよい。
【００３４】
前記データベースは、打撃したゴルフボールのトータル飛距離のデータも関連付けられていてもよく、本態様の方法は、このデータベースに基づいて、前記入力されたゴルフボールを打撃する能力に関する情報と、前記計算されたボール初速と、前記計算された打ち上げ角とから、前記対象者が打撃したゴルフボールのトータル飛距離を演算処理するステップと、この演算処理されたトータル飛距離を前記カメラ付き携帯型コンピュータ機器に表示するステップとを更に含んでもよい。
【００３５】
前記ゴルフボールを打撃する能力に関する情報は、ハンディキャップを含んでもよい。前記打撃したゴルフボールの観察結果に関する情報は、フック、ドロー、ストレート、フェード、およびスライスからなる群から選択されるゴルフボールの軌跡を含んでもよい。前記キャリブレーションステップでの前記動画における２点は、前記動画に写ったゴルフボール用スリーブ箱の長手方向に沿った両端であってもよい。
【００３６】
本態様の方法は、前記撮影した動画から、前記キャリブレーションに基づいて、前記対象者が打撃したゴルフボールのバックスピン量を計算するステップと、この計算されたバックスピン量を、前記カメラ付き携帯型コンピュータ機器に表示するステップとを更に含んでもよい。本態様の方法は、前記撮影した動画から、前記キャリブレーションに基づいて、前記対象者のゴルフクラブが前記ゴルフボールに当たる前の前記ゴルフクラブのヘッドスピードを計算するステップと、この計算されたヘッドスピードを、前記カメラ付き携帯型コンピュータ機器に表示するステップとを更に含んでもよい。
【００３７】
本発明は、その第４の態様によれば、対象者のために適切なゴルフボールの選択を行う非一時的なコンピュータプログラム製品であって、このコンピュータプログラム製品はカメラ付き携帯型コンピュータ機器に格納され、このカメラ付き携帯型コンピュータ機器で実行されるコンピュータプログラム手順を有するように構成されており、前記手順は、
・前記カメラ付き携帯型コンピュータ機器のカメラで撮影した、前記対象者がゴルフクラブでゴルフボールを打撃する動画から、前記動画における２点間の距離および／または方向のキャリブレーションに基づいて、前記対象者が打撃したゴルフボールのボール初速および打ち上げ角を計算する手順と、
・ゴルフプレーヤのゴルフボールを打撃する能力に関する情報のデータと、打撃したゴルフボールのボール初速のデータと、打撃したゴルフボールの打ち上げ角のデータと、打撃したゴルフボールの観察結果に関する情報のデータと、ゴルフボール製品の性能のデータとがそれぞれ関連付けられたデータベースに基づいて、前記カメラ付き携帯型コンピュータ機器に入力された前記対象者のゴルフボールを打撃する能力に関する情報と、前記計算されたボール初速と、前記計算された打ち上げ角と、前記カメラ付き携帯型コンピュータ機器に入力された打撃したゴルフボールの観察結果に関する情報とから、前記対象者に適した性能を有するゴルフボール製品を演算処理する手順と、
・前記カメラ付き携帯型コンピュータ機器に、前記演算処理されたゴルフボール製品を薦める表示をする手順と
を含む。
【００３８】
本態様のコンピュータプログラム製品は、前記計算されたボール初速および打ち上げ角を、前記カメラ付き携帯型コンピュータ機器に表示する手順を更に含んでもよい。
【００３９】
前記データベースは、ゴルフボールに当たる前のゴルフクラブのヘッドスピードのデータも関連付けられていてもよく、本態様のコンピュータプログラム製品は、このデータベースに基づいて、前記カメラ付き携帯型コンピュータ機器に入力された前記対象者のゴルフボールを打撃する能力に関する情報と、前記計算されたボール初速と、前記計算された打ち上げ角とから、前記対象者のゴルフクラブが前記ゴルフボールに当たる前の前記ゴルフクラブのヘッドスピードを演算処理する手順と、この演算処理されたヘッドスピードを前記カメラ付き携帯型コンピュータ機器に表示する手順を更に含んでもよい。
【００４０】
前記データベースは、打撃したゴルフボールのバックスピン量のデータも関連付けられていてもよく、本態様のコンピュータプログラム製品は、このデータベースに基づいて、前記カメラ付き携帯型コンピュータ機器に入力された打撃したゴルフボールの観察結果に関する情報と、前記計算されたボール初速と、前記計算された打ち上げ角とから、前記対象者が打撃したゴルフボールのバックスピン量を演算処理する手順と、この演算処理されたバックスピン量を前記カメラ付き携帯型コンピュータ機器に表示する手順とを更に含んでもよい。
【００４１】
前記データベースは、打撃したゴルフボールのキャリー飛距離のデータも関連付けられており、本態様のコンピュータプログラム製品は、このデータベースに基づいて、前記カメラ付き携帯型コンピュータ機器に入力された前記対象者のゴルフボールを打撃する能力に関する情報と、前記計算されたボール初速と、前記計算された打ち上げ角とから、前記対象者が打撃したゴルフボールのキャリー飛距離を演算処理する手順と、この演算処理されたキャリー飛距離を前記カメラ付き携帯型コンピュータ機器に表示する手順とを更に含んでもよい。
【００４２】
前記データベースは、打撃したゴルフボールのトータル飛距離のデータも関連付けられており、本態様のコンピュータプログラム製品は、このデータベースに基づいて、前記カメラ付き携帯型コンピュータ機器に入力された前記対象者のゴルフボールを打撃する能力に関する情報と、前記計算されたボール初速と、前記計算された打ち上げ角とから、前記対象者が打撃したゴルフボールのトータル飛距離を演算処理する手順と、この演算処理されたトータル飛距離を前記カメラ付き携帯型コンピュータ機器に表示する手順とを更に含んでもよい。
【００４３】
前記ゴルフボールを打撃する能力に関する情報は、ハンディキャップを含んでもよい。前記打撃したゴルフボールの観察結果に関する情報は、フック、ドロー、ストレート、フェード、およびスライスからなる群から選択されるゴルフボールの軌跡を含んでもよい。前記キャリブレーションのための動画における２点は、前記動画に写ったゴルフボール用スリーブ箱の長手方向に沿った両端であってもよい。
【００４４】
本態様のコンピュータプログラム製品は、前記撮影した動画から、前記キャリブレーションに基づいて、前記対象者が打撃したゴルフボールのバックスピン量を計算する手順と、この計算されたバックスピン量を、前記カメラ付き携帯型コンピュータ機器に表示する手順とを更に含んでもよい。本態様のコンピュータプログラム製品は、前記撮影した動画から、前記キャリブレーションに基づいて、前記対象者のゴルフクラブが前記ゴルフボールに当たる前の前記ゴルフクラブのヘッドスピードを計算する手順と、この計算されたヘッドスピードを、前記カメラ付き携帯型コンピュータ機器に表示する手順とを更に含んでもよい。
【発明の効果】
【００４５】
本発明によれば、上記のステップまたは手順を行うことによって、携帯型コンピュータ機器のカメラによって撮影した対象者のゴルフボールの打撃動画から、その対象者に対して適切なゴルフボールを選択する方法およびそのためのコンピュータプログラム製品を提供することができる。
【図面の簡単な説明】
【００４６】
【図１】本発明に係るカメラ付き携帯型コンピュータ機器によって対象者のために適切なゴルフボールの選択を行う方法の一実施形態を説明するための携帯型コンピュータ機器のディスプレイ表示を示す図である。
【図２】本発明の方法の一実施形態において、コンピュータプログラム起動時のディスプレイ表示を示す図である。
【図３】本発明の方法の一実施形態において、新規プレーヤー又は既存プレーヤーを選択する際のディスプレイ表示を示す図である。
【図４】本発明の方法の一実施形態において、携帯型コンピュータ機器に「簡易ボールフィッティング」のための情報を入力する際のディスプレイ表示を示す図である。
【図５】本発明の方法の一実施形態において、対象者のゴルフボールを打撃する能力に関する情報を含む、対象者の情報を入力する際のディスプレイ表示を示す図である。
【図６】本発明の方法の一実施形態において、対象者のゴルフボールを打撃する能力に関する情報を含む、対象者の情報を入力する際のディスプレイ表示を示す図である。
【図７】本発明の方法の一実施形態において、対象者のゴルフボールを打撃する能力に関する情報を含む、対象者の情報を入力する際のディスプレイ表示を示す図である。
【図８】本発明の方法の一実施形態において、動画撮影のためのキャリブレーションの際のディスプレイ表示を示す図である。
【図９】本発明の方法の一実施形態において、動画撮影のためのキャリブレーションの際のディスプレイ表示を示す図である。
【図１０】本発明の方法の一実施形態において、動画撮影のためのキャリブレーションの際のディスプレイ表示を示す図である。
【図１１】本発明の方法の一実施形態において、携帯型コンピュータ機器のカメラでゴルフボールを対象者が打撃する動画を撮影する際のディスプレイ表示を示す図である。
【図１２】本発明の方法の一実施形態において、携帯型コンピュータ機器のカメラでゴルフボールを対象者が打撃する動画を撮影する際のディスプレイ表示を示す図である。
【図１３】本発明の方法の一実施形態において、携帯型コンピュータ機器のカメラでゴルフボールを対象者が打撃する動画を撮影する際のディスプレイ表示を示す図である。
【図１４】本発明の方法の一実施形態において、携帯型コンピュータ機器のカメラでゴルフボールを対象者が打撃する動画を撮影する際のディスプレイ表示を示す図である。
【図１５】本発明の方法の一実施形態において、「クラブスピードボールフィッティング」のために撮影した動画の２つのフレームを選択する際のディスプレイ表示を示す図である。
【図１６】本発明の方法の一実施形態において、「クラブスピードボールフィッティング」のために撮影した動画の２つのフレームを選択する際のディスプレイ表示を示す図である。
【図１７】本発明の方法の一実施形態において、「クラブスピードボールフィッティング」によって対象者に適切な性能のゴルフボール製品に関する情報を提供する際のディスプレイ表示を示す図である。
【図１８】本発明の方法の一実施形態において、「クラブスピードボールフィッティング」によって対象者に適切な性能のゴルフボール製品に関する情報を提供する際のディスプレイ表示を示す図である。
【図１９】本発明の方法の一実施形態において、「精密ボールフィッティング」のために撮影した動画の３つのフレームを選択する際のディスプレイ表示を示す図である。
【図２０】本発明の方法の一実施形態において、「精密ボールフィッティング」のために撮影した動画の３つのフレームを選択する際のディスプレイ表示を示す図である。
【図２１】本発明の方法の一実施形態において、「精密ボールフィッティング」のために撮影した動画の３つのフレームを選択する際のディスプレイ表示を示す図である。
【図２２】本発明の方法の一実施形態において、打撃したゴルフボールの観察結果に関する情報をデバイスに入力する際のディスプレイ表示を示す図である。
【図２３】本発明の方法の一実施形態において、打撃したゴルフボールの観察結果に関する情報をデバイスに入力する際のディスプレイ表示を示す図である。
【図２４】本発明の方法の一実施形態において、「精密ボールフィッティング」によって対象者に適切な性能のゴルフボール製品に関する情報を提供する際のディスプレイ表示を示す図である。
【図２５】本発明の方法の一実施形態において、「精密ボールフィッティング」によって対象者に適切な性能のゴルフボール製品に関する情報を提供する際のディスプレイ表示を示す図である。
【図２６】本発明の方法の一実施形態において、対象者が打撃したゴルフボールの軌跡を再現する際のディスプレイ表示を示す図である。
【図２７】本発明の方法の別の実施形態において、携帯型コンピュータ機器のディスプレイ表示を示す図である。
【図２８】本発明に係る方法の第２の実施形態において、コンピュータプログラム起動時のディスプレイ表示を示す図である。
【図２９】本発明の方法の第２の実施形態において、対象者のゴルフボールを打撃する能力に関する情報を入力する際のディスプレイ表示を示す図である。
【図３０】本発明の方法の第２の実施形態において、携帯型コンピュータ機器のカメラで、ゴルフボールを対象者が打撃する動画を撮影する際のディスプレイ表示を示す図である。
【図３１】本発明の方法の第２の実施形態において、キャリブレーションの際のディスプレイ表示を示す図である。
【図３２】本発明の方法の第２の実施形態において、対象者が打撃したゴルフボールの観察結果に関する情報を入力する際のディスプレイ表示を示す図である。
【図３３】本発明の方法の第２の実施形態において、対象者に最適な性能のゴルフボール製品に関する情報を提供する際のディスプレイ表示を示す図である。
【発明を実施するための形態】
【００４７】
以下、添付図面を参照して、本発明に係るカメラ付き携帯型コンピュータ機器によって適切なゴルフボールを選択する方法およびそのためのコンピュータプログラムの実施の形態について説明する。
【００４８】
［第１の実施形態］
図１に示すように、本発明に係る適切なゴルフボールを選択する方法の一実施形態を実行するためのコンピュータプログラムは、タッチパネル１を有するモバイルコンピュータ機器にインストールされている。モバイルコンピュータ機器は、コンピュータプログラムが格納されるデータ記憶部（図示省略）と、コンピュータプログラム内のプログラム手順を実行するための中央処理装置、すなわちＣＰＵ（図示省略）とを備える。また、モバイルコンピュータ機器は、ＣＰＵの実行に必要なＲＡＭ及びＲＯＭ等（図示省略）を備えている。なお、後述する適切なゴルフボールを選択する方法の一実施形態の説明において、本発明の理解を優先して簡素な記載とするため、ＲＡＭによるデータの読み出し等の記載については省略する。
【００４９】
タッチパネル１は、ＣＰＵが算出した情報を表示する表示部の他、直接タッチして情報を入力する入力部でもある。モバイルコンピュータ機器は、静止画や動画を撮影するカメラ（図示省略）を備え、さらに、インターネット等のネットワークを介してホストサーバに格納された各種データを受信し、またホストサーバに格納させるための各種データを送信するネットワークインターフェイス（図示省略）を備える。
【００５０】
タッチパネル１、ＣＰＵ、カメラ及びネットワークインターフェイスは、データ記憶部に通信可能に接続されている。タッチパネル１、カメラ及びネットワークインターフェイスから入力される情報はデータ記憶部に送られ、コンピュータプログラムを実行するために更にＣＰＵに送られるように構成されている。
【００５１】
コンピュータプログラム製品には、過去に大勢に人々のために適切なゴルフボールの選択を行った結果の記録によって形成されるデータベースが含まれている。このデータベースには、大勢の人々のゴルフボールを打撃する能力に関する情報のデータと、この大勢のプレーヤーによるゴルフボールに当たる直前のゴルフクラブのヘッドスピードのデータと、ゴルフボール製品の性能に関する情報のデータとが、互いに関連づけられて含まれている。データベースはデータ記憶部に記憶されている。
【００５２】
打撃する能力に関する情報は、これに限定されないが、アベレージのスコア、アベレージのドライバー飛距離、またはそれらの任意の組み合わせを含んでもよい。打撃する能力に関する情報は、フック、ストレート、及びスライスからなる、好ましくはフック、ドロー、ストレート、フェード、及びスライスからなる、より好ましくはフック、ドロー、ベイビードロー、ストレート、ベイビーフェード、フェード、及びスライスからなる群から選択される通常のショットにおけるゴルフボールの軌跡を含んでもよい。打撃する能力に関する情報は、低、中、および高からなる群から選択される通常のショットにおけるゴルフボールの弾道を含んでもよい。
【００５３】
ゴルフボール製品の性能に関する情報としては、これらに限定されないが、例えば、ソリッドタイプ、ソフトタイプ、ディスタンスタイプ、低弾道タイプ、中弾道タイプ、高弾道タイプ、低スピンタイプ、中スピンタイプ、高スピンタイプ、およびディスタンス／スピンタイプからなる群から選択されるボールタイプを含んでもよい。ゴルフボール製品の性能に関する情報は、商品名またはブランド、例えば「Titleist」や、ボールモデル、例えば「ProV1」等と互いに関連付けられている。
【００５４】
データベースには、更に、対象者に関する情報（例えば、年齢、性別、現在のボールタイプ、好みのボールタイプ）のデータや、大勢の人々が打撃して専用の測定装置で計測したゴルフボールのボール初速のデータ、ゴルフボールの打ち出し角のデータ、大勢の人々が打撃して専用の計測器で計測したゴルフボールのキャリー飛距離のデータ、及び／又はゴルフボールのトータル飛距離のデータを含んでもよい。これら追加の情報のデータも、上述した必須の情報のデータと互いに関連付けられている。
【００５５】
モバイルコンピュータ機器のデータ記憶部に格納されたデータベース内のデータは、自動で又は手動で、モバイルコンピュータ機器のネットワークインターフェイスを介して得た更新データまたは追加データを用いて、変更することができる。
【００５６】
次に、このような構成を備えたカメラ付きモバイルコンピュータ機器を用いて、適切なゴルフボールを選択する方法の実施形態について説明する。
【００５７】
図１に示すように、先ず、モバイルコンピュータ機器のタッチパネル１には、待ち受け画面１０が表示されており、この待ち受け画面１０には、本実施形態のコンピュータプログラムを起動するためのアイコン１１、すなわち「Ｂ−ＦＩＴ」が他のアイコンとともに並んでいる。このアイコン１１をタップすると、コンピュータプログラムが起動する。
【００５８】
図２に示すように、コンピュータプログラムが起動すると、タッチパネル１には、「Bridgestone Golf B-Fit（ブリヂストンゴルフＢ−Ｆｉｔ）」というプログラム名２１と、３つの異なる方法で対象者に適切なゴルフボールを選ぶためのボタン、すなわち、「簡易ボールフィッティング」という第１のボタン２２と、「クラブスピードボールフィッティング」という第２のボタン２３、「精密ボールフィッティング」という第３のボタン２４とが表示される。タッチパネル１には、他のコースを行うためのボタン、例えば、「パターフィッティング」というボタン２５が表示されてもよいが、これについては本明細書では記載しない。
【００５９】
本実施形態では、先ず、操作者１００が「簡単ボールフィッティング」のボタン２２をタップすると、対象者のゴルフボールを打撃する能力に関する情報を含む対象者に関する情報をタッチパネル１によって入力するだけで、対象者に適切なゴルフボールの選択が開始される。
【００６０】
図３に示すように、タッチパネル１には、「新規プレーヤー」のボタン３１と、対象者が選ぶことができる「既存プレーヤーの選択」のボタン３２とが表示される。「既存プレーヤーの選択」のボタン３２が選ばれると、タッチパネル１には、選択可能な１つ又は複数のプレーヤーの名前を含むプルダウンメニュー３３が表示され、これらのデータは既に格納されている。
【００６１】
タッチパネル１には、「新規プレーヤー」のボタン３１をタップすると、図４に示すように、複数の入力項目が表示される。これら入力項目には、例えば、「My Current Ball（あなたの現在のボール）」の項目４１、「My Gender（あなたの性別）」の項目４２、「My Age（あなたの年齢）」の項目４３、「My Driver Distance（あなたのドライバー飛距離）」の項目４４、「My Average Score（あなたのアベレージのスコア）の項目４５、「My Shot Shape（あなたのショットのボール軌跡）」の項目４６、「My Shot Trajectory（あなたのショットの弾道）」の項目４７があり、それぞれプルダウンメニュー４１ａ〜４７ａで入力する。なお、「あなたの現在のボール」はボールタイプを意味し、上述した群の中から選択することができる。また、高スピンタイプまたは低スピンタイプは、「Surlyn（サーリン）カバー」や「ポリウレタンカバー」等のカバー材料によって表現してもよい。図３に示す画面上の既存プレーヤーのいずれかの名前をタップすると、図４に示す画面上の項目４１〜４７には、前回の選択した値が表示されるので、任意にこれらを変更することができる。
【００６２】
項目４１〜４７の全てが入力された後、ＣＰＵはデータベースを読み取り、入力された情報に基づいて、データベースから対象者に適した性能を有する１つのゴルフボール製品を特定する。特定されたゴルフボール製品は、タッチパネル１に表示される。
【００６３】
次に、「クラブスピードボールフィッティング」について説明する。図２に示す画面上の「クラブスピードフィッティング」のボタン２３をタップすると、対象者がゴルフクラブでゴルフボールを打撃する際のヘッドスピードから対象者に適切なゴルフボールを選択することが開始される。「クラブスピードボールフィッティング」の場合も、タッチパネル１には、図３に示すプレーヤーの選択画面が表示される。
【００６４】
「新規プレーヤー」のボタン３１をタップすると、図５に示すように、タッチパネル１には、「名前」の入力欄５１、「年齢」のプルダウンメニュー５２、「アベレージスコア」のプルダウンメニュー５３、「性別」のプルダウンメニュー５４等の、対象者に関する情報や対象者の打撃能力に関する情報を入力するための画面が表示される。対象者は、入力欄５１に自分の名前を入力し、プルダウンメニュー５２〜５４をドラッグまたはフリックして、自分の年齢、アベレージのスコア、性別が当てはまるものに、選択欄をそれぞれ合わせる。
【００６５】
図５に示す画面の右上に表示されている「次へ」のボタン２６をタップすると、図６に示すように、タッチパネル１には、「電子メール」の入力欄５５と、対象者が使用するボールタイプを選択するプルダウンメニュー５６（例えば「現在のボールブランド」や「現在のボールモデル」等）と、好みのボールタイプを選択するプルダウンメニュー５７（例えば「好みはスピン又は距離」といった質問に答える）と、「ドライバーの平均飛距離」のプルダウンメニュー５８が表示される。対象者は、自分の電子メールアドレスを入力欄５５に入力し、プルダウンメニュー５６〜５８をドラッグまたはフリックして、自分の現在のボールタイプ、好みのボールタイプ、ドライバーの平均飛距離に当てはまるものに、選択欄をそれぞれ合わせる。画面の左上に表示されている「戻る」のボタン２７をタップすると、前の画面に戻る。
【００６６】
「次へ」のボタン２６をタップすると、図７に示すように、タッチパネル１には、対象者のゴルフボールを打撃する能力に関する情報を入力するため画面５９が表示され、例えば、「通常のショットの軌跡はどれですか？」や「通常のショットの弾道はどれですか？」という質問に答えるための、対象者の通常のショットにおけるゴルフボールの軌跡を選択するための複数の画像５９ａと、対象者の通常のショットにおけるゴルフボールの弾道を選択するための複数の画像５９ｂとが表示される。対象者は、例えば、「Hook（フック）」、「Draw（ドロー）」、「Baby Draw（ベイビードロー）」、「Straight（ストレート）」、「Baby Fade（ベイビーフェード）」、「Fade（フェード）」、「Slice（スライス）」等のショットの軌跡が複数表示された画像５９ａの中から最適なものをタップまたはクリックする。また、対象者は、例えば、「Low（低）」、「Medium（中）」、「High（高）」等のショットの弾道が複数表示された画像５９ｂの中から最適なものをタップまたはクリックする。
【００６７】
「次へ」のボタン２６をタップすると、タッチパネル１からデータ記憶部に入力した対象者に関する情報およびその打撃能力に関する情報が送信されて記憶される。既存プレーヤーの名前が図３に示す画面上でタップされると、図５〜７に示す画面には、前回入力された対象者に関する情報およびその打撃能力に関する情報５１〜５９が表示されるので、任意にこれらを変更することができる。
【００６８】
撮影された動画からゴルフボールに当たる際のゴルフクラブのヘッドスピードを計算するため、動画はそのために十分なアングルとサイズで撮影されなければならず、よって、動画撮影前にキャリブレーションが行われる。図８に示すように、ゴルフティー６２を介して地面に置かれたゴルフボール６１の近くの地面に、ゴルフボールが３球入るスリーブボックス６３を置いて、ゴルフボール６１とスリーブボックス６３が、タッチパネル１に表示された動画撮影用の画像６０内に収まるようにする。カメラを、ゴルフボール６１とスリーブボックス６３に近づけたり又は遠く離したりするように移動させてもよい。
【００６９】
図９に示すように、動画撮影用の画像６０は、操作者の指１０１によるピンチアウト及びピンチインの操作によって拡大縮小し、この画像６０に表示されたキャリブレーション用スリーブ枠６４に、スリーブボックス６３のサイズを合わせる。また、図１０に示すように、上下左右にスワイプして、画像６０を上下左右にスクロールさせ、スリーブボックス６３の位置を、キャリブレーション用スリーブ枠６４に合わせる。
【００７０】
スリーブボックス６３のサイズ及び位置を、キャリブレーション用スリーブ枠６４のサイズ及び位置に適合させたら、「キャリブレーション」のボタン６７をタップする。これにより、撮影される動画における２点間の所定の距離（すなわち、スリーブボックス６３の既知の長さ）と水平線（すなわち、スリーブボックス６３の長手方向の縁）を較正することができる。「キャンセル」のボタン６６をタップすると、前の画面（必須データの入力）に戻る。
【００７１】
キャリブレーションが実行された後、対象者がゴルフボールを打撃する動画をモバイルコンピュータ機器のカメラによって撮影する。図１１に示すように、対象者がゴルフボール６１をゴルフクラブ７１で打撃する際、スタート／ストップボタン６５をタップすると、動画の撮影が開始される。図１２〜図１４に示すように、動画撮影時にはカメラを固定する必要がある。フレームレートは、少なくとも２４０ｆｐｓとすることが好ましい。モバイルコンピュータ機器のマイクロホンで、ゴルフボール６１とゴルフクラブ７１のヘッド７２との衝突音を記録してもよい。対象者がゴルフボールを打った後、スタート／ストップボタン６５をタップすると、撮影した動画がデータ記憶部に送信され記憶される。
【００７２】
動画撮影後、撮影した動画からゴルフクラブのヘッドスピードを正確に算出するためのマーキング操作を行う。ＣＰＵが撮影した動画のデータを読み出し、図１５に示すように、タッチパネル１には、対象者のショットの動画８０の再生が行われる。好ましくは、撮影した動画は、記録された衝突音に基づいて、ボールとヘッドのインパクト前の時点に巻き戻される。図１５及び図１６に示すように、インパクト前の時点の動画における２つのフレームを、操作者１００がタップ又はクリックする。撮影した動画の巻き戻し及び早送りは、左右にスワイプすることによって行うことができる。動画の撮影は何度でも繰り返すことができる。「ショットの削除」のボタン６６をタップすると、撮影した動画は削除される。
【００７３】
本コンピュータプログラムによれば、ＣＰＵは、キャリブレーションに基づいて、撮影した動画からゴルフクラブヘッドの２つの位置を算出し、インパクト直前の時間（秒）当たりのヘッドの移動距離、すなわちヘッドスピードを計算する。計算されたヘッドスピードの値は、データ記憶部に送信され記憶される。
【００７４】
ＣＰＵは、データ記憶部に記憶されているデータベースと、入力された対象者の情報のデータと、その打撃能力に関する情報のデータと、計算されたヘッドスピードとを読み出す。そして、ＣＰＵは、これら読み出された情報のデータから、データベースに照らし合わせて、対象者に適した性能を有する１つのゴルフボール製品を特定する演算処理を行う。
【００７５】
ＣＰＵは、入力された対象者に関する情報およびその打撃能力に関する情報のデータと、データ記憶部に記憶された計算されたヘッドスピードとから、データベースに照らし合わせて、対象者が打撃したゴルフボールのボール初速を特定する演算処理を行ってもよい。
【００７６】
ＣＰＵは、入力された対象者に関する情報およびその打撃能力に関する情報のデータと、データ記憶部に記憶された計算されたヘッドスピードとから、データベースに照らし合わせて、対象者が打撃したゴルフボールの打ち出し角を特定する演算処理を行ってもよい。
【００７７】
ＣＰＵは、入力された対象者に関する情報およびその打撃能力に関する情報のデータと、データ記憶部に記憶された計算されたヘッドスピードとから、対象者が打撃したゴルフボールのキャリー飛距離を特定する演算処理を行ってもよい。
【００７８】
ＣＰＵは、入力された対象者に関する情報およびその打撃能力に関する情報のデータと、データ記憶部に記憶された計算されたヘッドスピードとから、対象者が打撃したゴルフボールのトータル飛距離を特定する演算処理を行ってもよい。
【００７９】
ＣＰＵは、上述したデータ記憶部に記憶された、計算されたヘッドスピード、特定されたボール初速、特定された打ち上げ角、特定されたキャリー飛距離、および特定されたトータル飛距離の各平均値を計算してもよい。
【００８０】
図１７に示すように、タッチパネル１には、対象者に適した性能を有すると特定されたゴルフボール製品９１の商品名や、それぞれアベレージのクラブスピード９３、ボール初速９４、打ち出し角９５、キャリー飛距離９６、及びトータル飛距離９７が表示される。ネットワークインターフェイスを使用することにより、対象者に適した性能を有すると特定されたゴルフボール製品９１のパッケージを示す写真を、商品名とともに表示してもよい。
【００８１】
図１８に示すように、タッチパネル１には、特定されたゴルフボール製品１１１の商品名とともに、過去３回分の記録に基づいて、計算されたヘッドスピード１１３、特定されたボール初速１１４、特定された打ち出し角１１５、特定されたキャリー飛距離１１６、及びトータル飛距離１１７を表示してもよい。
【００８２】
更に、「精密ボールフィッティング」について説明する。図２に示す画面の「精密ボールフィッティング」のボタン２４をタップすると、打撃されたゴルフボールのボール初速および打ち上げ角とヘッドスピードとから対象者に適したゴルフボールを選択することが開始される。なお、精密ボールフィッティングは、上述した「クラブスピードボールフィッティング」と同じステップを共有する。
【００８３】
精密ボールフィッティングの場合には、図１５及び図１６に示したマーキング操作の後に、撮影した動画から打撃したゴルフボールのボール初速および打ち上げ角を正確に算出するための別のマーキング操作を行う。ＣＰＵが撮影した動画のデータを読み出すと、図１９に示すように、タッチパネル１で対象者のショットの動画８０の再生が行われる。図１９〜図２１に示すように、このショットの動画において更に３つのフレームを、操作者１００がタップまたはクリックする。３回目のクリックは、ティー６２上のゴルフボール６１をマーキングする（図１９）。４回目のクリックは、ティー６２から放たれた第１のゴルフボール６１をマーキングする（図２０）。５回目のクリックは、ティー６２から更に離れた位置の第２のゴルフボール６１をマーキングする（図２１）。
【００８４】
本コンピュータプログラムによれば、ＣＰＵは、キャリブレーションに基づいて、撮影した動画から打撃したゴルフボールの軌跡を演算処理し、インパクト直後の時間（秒）当たりの飛距離、すなわちボール初速を計算し、インパクト直後の水平線に対するゴルフボールの仰角、すなわち打ち出し角を計算する。計算されたボール初速および打ち出し角のデータは、データ記憶部に送信され記憶される。
【００８５】
図２２および図２３に示すように、打撃したゴルフボールの観察結果に関する情報を、モバイルコンピュータ機器に入力してもよい。観察結果に関する情報は、これに限定されないが、ショットの弾道のグループからの選択および／またはショットの軌跡のグループからの選択を含む。ショットの弾道のグループは、「低」、「中」、「高」の弾道からなってもよい。低い弾道は打撃したゴルフボールの低いスピン量を意味し、中間の弾道は平均的なスピン量を意味し、高い弾道は高いスピン量を意味する。ショットの軌跡のグループは、「フック」、「ストレート」、「スライス」からなってもよく、好ましくは「フック」、「ドロー」、「ストレート」、「フェード」、「スライス」からなってもよく、より好ましくは「フック」、「ドロー」、「ベイビードロー」、「ストレート」、「ベイビーフェード」、「フェード」、「スライス」からなってもよい。「フック」は打撃したゴルフボールの非常に低いスピン量を意味し、「ドロー」は低いスピン量を意味し、「ベイビードロー」は少し低いスピン量を意味し、「ストレート」は平均的なスピン量を意味し、「ベイビーフェード」は少し高いスピン量を意味し、「フェード」は高いスピン量を意味し、「スライス」は非常に高いスピン量を意味する。
【００８６】
ＣＰＵは、データ記憶部に記憶されている、データベースと、入力された対象者に関する情報およびその打撃能力に関する情報のデータと、計算されたヘッドスピードと、計算されたボール初速と、入力された打撃したゴルフボールの観察結果に関する情報のデータとを読み出す。そして、ＣＰＵは、これら読み出された情報のデータから、データベースに照らし合わせて、対象者に適した性能を有する１つのゴルフボール製品を特定する演算処理を行う。
【００８７】
ＣＰＵは、入力された対象者に関する情報およびその打撃能力に関する情報のデータと、計算されたヘッドスピード、計算されたボール初速と、計算された打ち出し角と、入力された打撃したゴルフボールの観察結果に関する情報のデータとから、データベースに照らし合わせて、打撃したゴルフボールのキャリー飛距離を特定する演算処理を行ってもよい。
【００８８】
ＣＰＵは、入力された対象者に関する情報およびその打撃能力に関する情報のデータと、計算されたヘッドスピード、計算されたボール初速と、計算された打ち出し角と、入力された打撃したゴルフボールの観察結果に関する情報のデータとから、データベースに照らし合わせて、打撃したゴルフボールのトータル飛距離を特定する演算処理を行ってもよい。
【００８９】
図２３に示す画面上で「推奨ボールを見る」のボタン１４３をタップすると、タッチパネル１には、図２４に示すように、対象者に適した性能を有すると特定されたゴルフボール製品１５１の商品名が表示され、また、それぞれアベレージのクラブスピード１５３、ボール初速１５４、打ち出し角１５５、キャリー飛距離１５６、及びトータル飛距離１５７が表示される。
【００９０】
図２５に示すように、タッチパネル１には、特定されたゴルフボール製品１６１の商品名とともに、過去３回分の記録に基づいて、計算されたヘッドスピード１６３、計算されたボール初速１６４、計算された打ち出し角１６５、特定されたキャリー飛距離１６６、特定されたトータル飛距離１６７を表示してもよい。
【００９１】
「軌道」のタブボタン１７５をタップすると、タッチパネル１には、対象者が打撃したゴルフボールの軌道が視覚的に再現された画面１７１が表示される。また、過去３回分の記録に基づいて、打撃したゴルフボールの結果として、縦軸にトータル飛距離、横軸にボールの方向をプロットしたグラフ１７２が、その下側に表示される。
【００９２】
図２３に示す画面で「もう一度」のボタン１４４をタップすると、図２４及び図２５に示す「アベレージのデータ」及び「統計データ」の画面を表示することなく、図１１の画面に戻り、対象者がゴルフボールを打撃する動画を新たに撮影するための画面になる。なお、本発明は、上述した実施形態に限定されるものではなく、計算したゴルフボールのボール初速および打ち上げ角から対象者に適したゴルフボールを選択してもよい。例えば、上述した「クラブスピードボールフィッティング」でのヘッドスピードを計算するステップ等を行わずに、上述した「精密ボールフィッティング」でのステップを実施することで、対象者に適したゴルフボールの選択を行うことができる。
【００９３】
［第２の実施形態］
この実施形態によるコンピュータプログラム製品は、過去に大勢に人々のために適切なゴルフボールの選択を行った結果の記録によって形成される別のデータベースを含む。このデータベースには、大勢の人々のゴルフボールを打撃する能力に関する情報のデータと、大勢の人々が打撃して専用の測定装置で計測したゴルフボールのボール初速のデータおよび打ち出し角のデータと、打撃されたゴルフボールの観察結果に関する情報のデータと、ゴルフボール製品の性能に関する情報のデータとが、互いに関連づけられて含まれている。データベースはデータ記憶部に記憶されている。
【００９４】
ゴルフボールを打撃する能力に関する情報は、これに限定されないが、ゴルファーの潜在的なプレー能力の数値的尺度であるハンディキャップを含んでよい。
【００９５】
打撃したゴルフボールの観察結果に関する情報は、これに限定されないが、ショットにおけるゴルフボールの軌跡のグループからの選択であってよい。ゴルフボールの軌跡のグループは、フック、ドロー、ストレート、フェード、スライスから構成されてもよいし、フック、ストレート、スライスから構成されてもよい。「フック」は非常に低いスピン量を意味し、「ドロー」は低いスピン量を意味し、「ストレート」は平均的なスピン量を意味し、「フェード」は高いスピン量を意味し、「スライス」は非常に高いスピン量を意味する。
【００９６】
ゴルフボール製品の性能に関する情報としては、これに限定されないが、例えば、ソリッドタイプ、ソフトタイプ、ディスタンスタイプ、低弾道タイプ、中弾道タイプ、高弾道タイプ、高スピンタイプ、低スピンタイプ、中スピンタイプ、およびディスタンス／スピンタイプからなる群から選択されるボールタイプを含んでよい。
【００９７】
データベースには、更に、大勢のプレーヤーが打撃して専用の測定装置で計測したゴルフボールに当たる際のゴルフクラブのヘッドスピードのデータ、及びゴルフボールのバックスピン量のデータ、大勢の人々が打撃して専用の計測器で計測したゴルフボールのキャリー飛距離のデータ、及び／又はゴルフボールのトータル飛距離のデータを含んでもよい。これら追加の情報のデータも、上述した必須の情報のデータと互いに関連付けられている。
【００９８】
モバイルコンピュータ機器のデータ記憶部に格納されたデータベース内のデータは、自動で又は手動で、モバイルコンピュータ機器のネットワークインターフェイスを介して得た更新データまたは追加データを用いて、変更することができる。
【００９９】
次に、このような構成を備えたカメラ付きモバイルコンピュータ機器を用いて、適切なゴルフボールを選択する方法の実施形態について説明する。
【０１００】
図２７に示すように、モバイルコンピュータ機器のタッチパネル１には、待ち受け画面１０が表示されており、この待ち受け画面１０には、本実施形態のコンピュータプログラムを起動するためのアイコン２１１、すなわち「ｉＦＩＴ」が他のアイコンとともに並んでいる。このアイコン２１１をタップすると、コンピュータプログラムが起動する。
【０１０１】
図２８に示すように、コンピュータプログラムが起動すると、タッチパネル１には、プログラム名２２１、すなわち、「Bridgestone Golf iFit Launch Monitor（ブリヂストンゴルフｉＦｉｔ弾道モニター」と、「ボールフィッティング」のボタン２２２が表示される。なお、タッチパネル１には、「クラブフィッティング」のボタン２２３と「スウィング分析」のボタン２２４も表示されているが、これらについては本明細書では記載しない。「ボールフィッティング」のボタン２２２をタップすると、対象者に適したゴルフボールの選択が開始される。
【０１０２】
本実施形態の適切なゴルフボールの選択では、先ず、対象者のゴルフボールを打撃する能力に関する情報をタッチパネル１で入力する。図２９に示すように、タッチパネル１には、ゴルフボールを打撃する能力に関する情報２３１の１つとして、本実施形態では「ハンディキャップ」が表示され、ハンディキャップとして選択される複数の数字からなるプルダウンメニュー２３２が表示される。対象者は、選択欄２３３に、対象者のハンディキャップを示す数字が位置するように、プルダウンメニュー２３２をドラッグまたはフリックする。対象者のハンディキャップが選択欄２３３に表示されたら、画面の右上に表示されている「実行」のボタン２３４をタップする。これにより入力された情報は、タッチパネル１からデータ記憶部に送信され記憶される。画面の左上に表示されている「戻る」のボタン２３５をタップすると、前の画面に戻る。
【０１０３】
ゴルフボールを打撃する能力に関する情報を入力したら、モバイルコンピュータ機器のカメラで、対象者がゴルフボールを打撃する動画を撮影する。図３０に示すように、タッチパネル１には、カメラの撮影画面２４０が表示される。撮影画面２４０には、対象者４２がゴルフクラブ２４３によってゴルフボール２４１を打撃するシーンが映し出される。動画の撮影は、撮影した動画から、打撃したゴルフボールのボール初速および打ち上げ角を正確に算出するのに十分なアングルおよびサイズで撮影されなければならない。例えば、カメラから対象者またはゴルフボールへの方向は、ゴルフボールの飛ぶ方向に対して垂直であることが好ましい。撮影のサイズは、ゴルフボールとともに対象者の全身または下半身が撮影画面２４０または画像枠内に収めることが好ましい。
【０１０４】
なお、後述するキャリブレーションのため、図３１に示すように、ゴルフティーを介して地面に置かれたゴルフボールの近くの地面に、ゴルフボールが３球入るスリーブボックス２４４を、スリーブボックス２４４が画像２４０内に収まるようにする。スリーブボックス２４４は、その長手方向の縁がゴルフボールの飛ぶ方向と平行になるように配置されることが好ましい。
【０１０５】
図３１に示すように、スタート／ストップボタン２４８をタップして、対象者がゴルフボールを打撃する動画の撮影を行う。撮影された動画の情報は、データ記憶部に送信され記憶される。動画の撮影は何度でも繰り返すことができる。キャンセルのボタン２４９をタップすると、最後に撮影した動画が削除される。
【０１０６】
動画を撮影したら、撮影した動画からゴルフボールのボール初速と打ち出し角を正確に算出するために、キャリブレーションを行う。先ず、ＣＰＵが撮影した動画のデータを読み出すと、その撮影した動画内の一静止画像がタッチパネル１に表示される。図３１に示すように、スタート／ストップボタン２４８をタップすることにより、ゴルフボールを打つ前にゴルフボール２４１とスリーブボックス２４４とが画像枠内に収まる静止画像２４０ａを表示する。この静止画像２４０ａは、操作者の指２５１のピンチアウトおよびピンチイン操作２５２によって拡大または縮小され、スリーブボックス２４４のサイズを、静止画像２４０ａに表示されたキャリブレーション用スリーブ枠２５３に適合させる。この操作によって、２点間の所定の距離（すなわち、スリーブボックス２４４の既知の長さ）および水平線（すなわち、スリーブボックス２４４の長手方向の縁）を較正することができる。キャリブレーションに関する情報はＣＰＵに送信される。
【０１０７】
本コンピュータプログラムによれば、ＣＰＵは、キャリブレーションに基づいて、撮影した動画から打撃したゴルフボールの軌道を算出し、インパクト直後の時間（秒）当たりの飛距離、すなわちボール初速を計算するとともに、インパクト直後の水平線に対するゴルフボールの仰角、すなわち打ち出し角を計算する。計算されたボール初速および打ち出し角のデータは、データ記憶部に送信され記憶される。
【０１０８】
本コンピュータプログラムによれば、任意に、ＣＰＵは、キャリブレーションに基づいて、撮影した動画から、ゴルフボールの表面に付されたマークの回転を計算し、打撃したゴルフボールのバックスピン量および／またはサイドスピン量を計算してもよい。計算されたバックスピン量およびサイドスピン量のデータは、データ記憶ユニットに送信され記憶される。
【０１０９】
また、本コンピュータプログラムによれば、任意に、ＣＰＵは、キャリブレーションに基づいて、撮影した動画から対象者のゴルフクラブのヘッドスピードを計測してもよい。又は、１秒当たりのフレーム数が２４０ｆｐｓ未満である場合には、ＣＰＵは、ＣＰＵに記憶されている計測されたボール初速およびショットのミート率（quality of contact）を使用して、ヘッドスピードを推定することができる。ミート率の係数は、ミート率に基づいて割り当てられる。計測または推定されたヘッドスピードのデータは、データ記憶装置に送信され記憶される。
【０１１０】
キャリブレーションの操作が終わったら、対象者が打撃したゴルフボールの観察結果に関する情報をタッチパネル１で入力する。図３２に示すように、タッチパネル１には、打撃したゴルフボールの観察結果に関する情報２６１の１つとして、本実施形態では「ショットの軌跡を選択してください」が表示され、選択される複数のショットの軌跡、「フック」、「ドロー」、「ストレート」、「フェード」、「スライス」の５つを含むプルダウンメニュー２６２が表示される。対象者は、これら５つの中から打撃したゴルフボールの観察結果として自身に最も該当するものが選択欄２６３に表示されるようにプルダウンメニュー２６２をドラッグする。そして、選択欄２６３をタップすると、表示されたショットの軌跡が、選択されたショットの軌跡として入力される。入力された情報は、タッチパネル１からデータ記憶部に送信されて記憶される。
【０１１１】
打撃したゴルフボールの観察結果に関する情報を入力すると、ＣＰＵは、データ記憶部に記憶されたデータベース、入力されたハンディキャップおよびショットの軌跡、並びに計算されたボール初速および打ち出し角のデータを読み出す。ＣＰＵは、これら読み出した情報のデータから、データベースに照らし合わせて、対象者に適切な性能を有する１つのゴルフボール製品を特定する演算処理を行う。
【０１１２】
ＣＰＵは、入力された打撃能力に関する情報（すなわち、ハンディキャップ）並びに計算されたボール初速および打ち出し角のデータから、データベースに照らし合わせて、ゴルフボールに当たる際のゴルフクラブのヘッドスピードを特定する演算処理を行うことができ、ＣＰＵはヘッドスピードを計算または推定することができる。
【０１１３】
ＣＰＵは、入力された打撃したゴルフボールの観察結果の情報（すなわち、ショットの軌跡）並びに計算されたボール初速および打ち出し角のデータから、データベースに照らし合わせて、対象者が打撃したゴルフボールのバックスピン量を特定する演算処理を行うことができる。
【０１１４】
ＣＰＵは、入力された打撃能力に関する情報（すなわち、ハンディキャップ）並びに計算されたボール初速および打ち出し角のデータから、データベースに照らし合わせて、対象者が打撃したゴルフボールのキャリー飛距離を特定する演算処理を行うことができる。
【０１１５】
ＣＰＵは、入力された打撃能力に関する情報（すなわち、ハンディキャップ）並びに計算されたボール初速および打ち出し角のデータから、データベースに照らし合わせて、対象者が打撃したゴルフボールのトータル飛距離を特定する演算処理を行うことができる。
【０１１６】
そして、打撃したゴルフボールの観察結果に関する情報の入力が終わったら、図３３に示すように、ＣＰＵは、対象者２７１に適切な性能を有する特定されたゴルフボール製品２７１、クラブヘッドスピード２７３、バックスピン量２７４、キャリー飛距離２７７およびトータル飛距離２７８をタッチパネル１に表示する処理を行う。ネットワークインターフェイスを使用することにより、対象者に適した性能を有すると特定されたゴルフボール製品２７１のパッケージを示す写真を、商品名とともに表示してもよい。また、ＣＰＵは、キャリブレーションに基づいて動画から計算されたボール初速２７５および打ち出し角２７６をタッチパネル１に表示する処理を行う。
【符号の説明】
【０１１７】
１  タッチパネル
１０  待ち受け画面
５１〜５９、２３１  対象者に関する情報
６０、２４０ａ  キャリブレーション操作用の画像
６１、２４１  ゴルフボール
６２  ゴルフティー
６３、２４４  スリーブボックス
６４、２５３  キャリブレーション用スリーブ枠
６５  スタート／ストップボタン
７０、２４０  動画撮影時の画像
７１、２４３  ゴルフクラブ
７２  クラブヘッド
８０  マーキング操作用の画像
９１、１１１、１５１、１６１、２７１  特定された適切なゴルフボール製品
１００  操作者
１３２、１４２、２６２  打撃されたゴルフボールの観察結果に関する情報
【図１】
2017225820.tif 000003
【図２】
2017225820.tif 000004
【図３】
2017225820.tif 000005
【図４】
2017225820.tif 000006
【図５】
2017225820.tif 000007
【図６】
2017225820.tif 000008
【図７】
2017225820.tif 000009
【図８】
2017225820.tif 000010
【図９】
2017225820.tif 000011
【図１０】
2017225820.tif 000012
【図１１】
2017225820.tif 000013
【図１２】
2017225820.tif 000014
【図１３】
2017225820.tif 000015
【図１４】
2017225820.tif 000016
【図１５】
2017225820.tif 000017
【図１６】
2017225820.tif 000018
【図１７】
2017225820.tif 000019
【図１８】
2017225820.tif 000020
【図１９】
2017225820.tif 000021
【図２０】
2017225820.tif 000022
【図２１】
2017225820.tif 000023
【図２２】
2017225820.tif 000024
【図２３】
2017225820.tif 000025
【図２４】
2017225820.tif 000026
【図２５】
2017225820.tif 000027
【図２６】
2017225820.tif 000028
【図２７】
2017225820.tif 000029
【図２８】
2017225820.tif 000030
【図２９】
2017225820.tif 000031
【図３０】
2017225820.tif 000032
【図３１】
2017225820.tif 000033
【図３２】
2017225820.tif 000034
【図３３】
2017225820.tif 000035